(57)【要約】【課題】  本発明は、割付面との照合をしなくとも速やかに取り付け作業を行うことができ、更に野縁材の不足がある場合にその発見が速やかに行われ工程への影響を最小限に抑えることができる野縁の取付構造を提供することを目的とするものである。【解決手段】  建築現場における野縁の取り付け手順は以下のとおりである。（１）予め設定された起点Ｂと野縁材６の取り付け方向を確認する。（２）起点Ｂとは遠い位置の床面にラベル13が上を向くようにかつ野縁材６の取り付け方向にあわせて並べる。（３）ラベル13に記された各野縁材６に関する配置情報に従って、奥方向から順次野縁材６を取り付けてゆく。【選択図】      図１
2009057809.tif 000002
【特許請求の範囲】
【請求項１】
所定のモジュールに基づく複数の平行な基準線に沿って配置、固定される野縁の取付構造であって、
前記野縁は、所定の長さ以下の複数の野縁材を連結して構成され、
前記野縁材は、配置される位置に応じた加工が予め施されるとともに、配置される列を表す列情報と各列における配置順位を表す順位情報が予め記されており、
前記列情報と順位情報とをもとに配置、固定されたことを特徴とする野縁の取付構造。
【発明の詳細な説明】
【技術分野】
【０００１】
本発明は住宅等の建物の天井の下地を構成する野縁の取付構造に関するものである。
【背景技術】
【０００２】
従来、天井は上階の梁や床から吊下げられた野縁を下地として石膏ボード等の板材が貼設されて構成され、野縁は定尺の野縁材を建築現場で所望の長さに加工して取り付けられるのが一般的であった。
【０００３】
しかし、熟練作業者不足や地球環境破壊が問題となっている昨今は、建築現場での作業の省力化や廃棄物の削減などを目的として、従来建築現場で行ってきた部材の加工を予め工場等で行い、加工済みの部材（いわゆるプレカット部材）を建築現場に搬入し、建築現場では単に所定の位置に部材を取り付けるのみとする方式が主流となってきている。この場合、部材に付与された符号と符号の付与された部材の配置を示す割付図とを照合しながら所定の位置に部材を取り付けるのが一般的であった。
【０００４】
特許文献１には、予め工場で製造した住宅の布基礎用ブロック状基礎部材における例が記載されている。本特許文献の基礎部材に付与される符号は、基礎部材の形状と長さに基づくものであり、この情報だけでは基礎部材を配置する位置が特定できず、建築現場での施工にあたっては割付図との照合が必須である。
【０００５】
【特許文献１】特開２００２−１９７１４１号公報
【発明の開示】
【発明が解決しようとする課題】
【０００６】
上記のような従来技術で野縁を施工した場合、搬入されてきた野縁材と割付図との照合を繰り返さなければならず、作業に時間がかかった。
【０００７】
また、同一の長さや形状の野縁材には同一の符号が付与されるので、同一の長さや形状の野縁材が連続して配置される場合、何列目を施工しているのかわからなくなり、確認に時間がかかることがあった。
【０００８】
また、部材の搬入ミスを速やかに発見し難く、不足部材の手配が遅れ、工程に影響が出る虞もあった。
【０００９】
本発明は、上記従来技術の問題点を解決し、割付面との照合をしなくとも速やかに取り付け作業を行うことができ、更に野縁材の不足がある場合にその発見が速やかに行われ工程への影響を最小限に抑えることができる野縁の取付構造を提供することを目的とするものである。
【課題を解決するための手段】
【００１０】
上記課題を解決する為の本発明にかかる野縁の取付構造の構成は、所定のモジュールに基づく複数の平行な基準線に沿って配置、固定される野縁の取付構造であって、前記野縁は、所定の長さ以下の複数の野縁材を連結して構成され、前記野縁材は、配置される位置に応じた加工が予め施されるとともに、配置される列を表す列情報と各列における配置順位を表す順位情報が予め記されており、前記列情報と順位情報とをもとに配置、固定されたことを特徴とする。
【発明の効果】
【００１１】
本発明にかかる野縁の取付構造によれば、野縁材には配置される列を表す列情報と該列における配置順位を表す順位情報が予め記されており、列情報と順位情報をもとに配置、固定されるので、建築現場に搬入された野縁材と割付図とを照合することなく取り付け作業を行うことができ、作業時間を短縮することができる。
【００１２】
また、野縁材が建築現場に搬入された段階で野縁材に付与された列情報と順位情報の連続性を確認することで不足する野縁材を特定し速やかに手配することができ、工程への影響を最小限に留めることができる。
【発明を実施するための最良の形態】
【００１３】
本発明に係る野縁の取り付け構造の好ましい実施形態について図を用いて説明する。図１は野縁の取り付け対象となる建物における野縁の全体配置を平面的に示す図、図２は野縁の取り付け方向に対し直角方向の断面図、図３及び図４は野縁の取り付け方向の断面図である。
【００１４】
図１〜図４において、野縁の取り付け対象である建物Ａは、３０５ｍｍの平面モジュールを有し、鉄骨造梁勝ち工法の軸組を構築した後に、ＡＬＣ（軽量気泡コンクリート）からなる外壁パネル１ａ、床パネル２ａを組み合わせて外周壁１、床２を構成した工業化住宅である。建物Ａの軸組は、所定のモジュールに基づくピッチで配列された複数の平行な互いに直交する基準線ａ，ｂの交点上に配置される柱３、同一基準線ａ，ｂ上にあって隣接する２本の柱３の間に配置される耐力部材４、同一基準線ａ，ｂ上で柱３の上端部を連結するように載置される梁５等により構成されている。また、梁５には柱３、或いはその他の部材を接合する為のボルト孔５ａがモジュールに基づくピッチで穿設されており、壁パネル１ａや床パネル２ａもモジュールに基づく幅寸法と長さ寸法を有している。
【００１５】
野縁は所定の長さ以下の複数の野縁材６を連結して構成される。野縁材６は、略ロ字状の中空断面を有する軽鉄製の長尺部材である。野縁材６は配置される位置に応じた加工が予め施され、躯体工事の完了後、外周壁１の内部側の壁下地材７を設置し、野縁材６を保持する野縁受け８を梁５等から吊下げた後に取り付けられる。
【００１６】
野縁材６は、基本的に建物Ａの所定のモジュールに基づく複数の平行な基準線ａ上に等ピッチで配置、固定して取り付けられる。但し、建物外周部９に沿って配置される野縁材６ａは、外周壁１の内部側の壁下地材７に接するように取り付けられ、また、間仕切壁10（図１にてハッチングで示した部分）の位置と重なる野縁材６ｂは、基準線ａからずらし間仕切壁10の両側にダブルで取り付けられる。
【００１７】
野縁材６の長さは、基本的にモジュールの整数倍で最長３６６０ｍｍに設定され、端部が基準線ａに対し直交する基準線ｂにほぼ一致するように配置され、隣接する野縁材６と連続的に取り付けられる（図１にて三角で示した位置）。
【００１８】
但し、例外として(1)端部が建物外周部９の壁下地材７や柱３等と干渉する野縁材６ｃは、干渉する位置における直交する基準線ｂに若干（数十ｍｍ）満たない長さに設定される（図１及び図３の100の部位）。(2)階段室11等、天井の存在しない領域で途切れる野縁材６ｄは、途切れる位置における直交する基準線ｂ１から若干突出するように設定される（図１及び図４の101の部位）。(3)前記間仕切壁10の両側に配置され、基準線ａ上の野縁材６と連続しない野縁材６ｂは、非連続部分における直交する基準線ｂ２から若干突出するように設定される（図１の103の部位）。尚、上記３つの例外のいずれの場合においても野縁材６の両端部が寸法調整され、両端部とも直交する基準線ｂ上に位置しないこともある。例えば、図１において、野縁材６ｅは一方が直交する基準線ｂよりも突出し（部位101参照）、他方が直交する基準線ｂに満たない（部位100参照）。
【００１９】
野縁材６の連結部分は、図３及び図４に示すように、該野縁材６の中空部に双方の野縁材６に跨るようにジョイント部材12を差し込み、該野縁材６の小口同士を突き合わせて構成される。
【００２０】
野縁材６に貼り付けられるラベル13には、例えば図１に示す起点Ｂの位置から何列目に取り付けられる野縁材６であるかを表す数字である第１の列情報13ａがラベルの左寄りに印字され、続いて、同じ列のなかで起点から何本目に取り付けられる野縁材６であるかを表す数字である順位情報13ｂが印字される（図２参照）。
【００２１】
即ち、ラベル13には、各野縁材６が配置される列を表す列情報13ａと各列における配置順位を表す順位情報13ｂが予め記されている。
【００２２】
また、図２に示すように、野縁材６が間仕切壁10の両側にダブルで配置される場合には、順位情報13ｂに続いて、起点Ｂに近い側であるか遠い側であるかを示す数字である第２の列情報13ｃが印字される。第２の列情報13ｃは、起点Ｂから近い側に配置される場合には「１」、起点Ｂから遠い側に配置される場合には「２」で表される。
【００２３】
ラベル13は、図３に示すように、取り付けた状態での野縁材６の長さ方向における起点Ｂ寄りの位置、かつ列方向における起点Ｂとは反対側を向くように、野縁材６の側面に貼るのが好ましい。
【００２４】
建築現場における取り付け作業の前段階の作業手順は以下の通りである。
【００２５】
１．建物Ａの図面（梁伏図等）をもとに、野縁材６の取り付け方向を決める。この方向が基準線ａの方向として設定される。尚、野縁材６の取り付け方向は建物Ａの平面的形状に関係なく任意に設定できる。
【００２６】
２．複数の基準線ａのうち、建物Ａの最も端に位置する２本の基準線ａ１，ａ２のいずれか一方の基準線（図１では基準線ａ１）上に位置する建物Ａの隅部における基準線ａ，ｂの交点を起点Ｂとして設定する。
【００２７】
３．基準線ａ１から順に野縁材６の配列の順序を示す第１の列情報13ａを設定する。
【００２８】
４．各列において野縁材６の連結位置を決定し、順位情報13ｂを設定する。例えば、第３列においては、起点Ｂに最も近い野縁材６ａが１番、階段室11手前の野縁材６ｄが２番、最後の野縁材６ｅが３番となる。
【００２９】
５．間仕切壁10の両側にダブルで配置される野縁材６ｂについては、第２の列情報13ｃを設定する。
【００３０】
６．上記のようにして設定された野縁材６の配置情報に対応したラベル13を作成する。
【００３１】
７．連結位置や配置位置による長さ設定の条件を考慮して各野縁材６の長さを確認し、未加工の野縁材料から所望の長さの野縁材６を切り出す。
【００３２】
８．切り出された野縁材６に対し、対応するラベル13を貼り付ける。
【００３３】
建築現場における野縁の取り付け手順は以下のとおりである。
【００３４】
１．予め設定された起点Ｂと野縁材６の取り付け方向を確認する。
【００３５】
２．起点Ｂとは遠い位置の床２面にラベル13が上を向くようにかつ野縁材６の取り付け方向にあわせて並べる。この状態で不足する野縁材６の確認ができる。
【００３６】
３．ラベル13に記された各野縁材６に関する配置情報に従って、奥方向から順次、野縁材６を取り付けてゆく。
【００３７】
尚、一般部（野縁材６を連続させる部分）においては野縁材６同士の連結部（図１の三角で示された部位）が直交する基準線ｂ上に位置するので、取り付けた野縁材６の端部が直交する基準線ｂ上に位置していれば、単純に連続的に取り付ければ良い。
【００３８】
また、野縁材６の端部が直交する基準線ｂ上に位置しない部位や野縁材６が連続しない部位についての判断は下記のとおり容易に行うことができる。
【００３９】
１．建物外周部９や、柱３と干渉する部位は、建築現場の状況をみれば明らかである。
【００４０】
２．間仕切り切壁10と野縁材６との位置が一致する部位については、ラベル13に記された配置情報が第１の列情報13ａ、順位情報13ｂ、第２の列情報13ｃの３つであることから判断できる。
【００４１】
３．吹抜けや階段室11が存在し、野縁材６が連続しない部位については、上階の床パネル２ａが存在しないことや、取り付けた状態の野縁材６の端部の位置が直交する基準線ｂ上にないことから判断できる。
【００４２】
また、野縁材６が基準線ａ上に取り付けられているか、或いは取り付けられた野縁材６の端部が直交する基準線ｂ上に位置するか否かを確認する場合、基準線ｂ上に位置する柱３や梁５、該梁５にモジュールに基づくピッチで穿設されたボルト孔５ａ、外壁パネル１ａや床パネル２ａの目地などを目安に確認することができる。
【００４３】
上記の通り、当初設定された起点Ｂと野縁材６の取り付け方向さえ確認できれば、割付図等の図面との照合を行うことなく、スムーズに野縁材６の取り付け作業を行うことができ、作業時間の短縮化を図ることができる。
【産業上の利用可能性】
【００４４】
本発明は、野縁以外にも所定のピッチで連続的に設置する部材全般に適用することができる。
【図面の簡単な説明】
【００４５】
【図１】野縁の取り付け対象となる建物における野縁の全体配置を平面的に示す図である。
【図２】野縁の取り付け方向に対し直角方向の断面図である。
【図３】野縁の取り付け方向の断面図である。
【図４】野縁の取り付け方向の断面図である。
【符号の説明】
【００４６】
Ａ…建物
Ｂ…起点
ａ…基準線
ａ１，ａ２…最も端に位置する基準線
ｂ…基準線ａと直交する基準線
ｂ１…野縁材が途切れる位置における直交する基準線
ｂ２…野縁材の非連続部分における直交する基準線
１…外周壁
１ａ…外壁パネル
２…床
２ａ…床パネル
３…柱
４…耐力部材
５…梁
５ａ…ボルト孔
６…野縁材
６ａ…建物外周部に沿って配置される野縁材
６ｂ…間仕切壁の位置と重なる野縁材
６ｃ…端部が建物外周部の壁下地材や柱と干渉する野縁材
６ｄ…階段室等、天井の存在しない領域で途切れる野縁材
６ｅ…一方が直交する基準線ｂより突出し、他方が直交する基準線ｂに満たない野縁材
７…壁下地材
８…野縁受け
９…建物外周部
10…間仕切壁
11…階段室
12…ジョイント部材
13…ラベル
13ａ…第１の列情報
13ｂ…順位情報
13ｃ…第２の列情報
【図１】
2009057809.tif 000003
【図２】
2009057809.tif 000004
【図３】
2009057809.tif 000005
【図４】
2009057809.tif 000006